(57)【要約】【課題】火炎により下枠が変形しても座板の脱落を抑制し、防火性能を向上させることができるシャッター枠部の防火構造を提供する。【解決手段】開口部１３を昇降して覆い下降先端に座板３７を有するシャッターカーテン２３と、シャッターカーテン２３の側部４３を挿入する一対のガイドレール４５のそれぞれを支持するとともに、外壁１５に垂直な外側板部５５とこの外側板部５５から外壁１５と平行に折れ曲がる取付板部５７とを有する一対のアルミ製の外枠２７と、ガイドレール４５及び外枠２７の下端を塞ぎ座板３７の延在方向の端が接する底板部７９を有し、この底板部７９から外側板部５５と平行な側片部８１及び取付板部５７と平行な共締め片部８５が起立して形成される一対のスチール製の補強部材２９と、外側板部５５と側片部８１を連結固定するリベット３１と、取付板部５７を挟み外壁１５に共締め片部８５を共締め固定するビス３３と、を設けた。【選択図】  図４
2020020108.tif 000002
【特許請求の範囲】
【請求項１】
外壁に開口する開口部を前記外壁の外側で昇降して覆い、下降先端に座板を有するシャッターカーテンと、
前記シャッターカーテンの側部を挿入して昇降を案内する一対のガイドレールのそれぞれを支持するとともに、前記ガイドレールに沿って延在し、前記外壁に垂直な外側板部と該外側板部から前記外壁と平行に折れ曲がる取付板部とを有する一対のアルミ製の外枠と、
前記ガイドレール及び前記外枠の下端を塞ぎ前記座板の延在方向の端が接する底板部を有し、該底板部から前記外側板部と平行な側片部及び前記取付板部と平行な共締め片部が起立して形成される一対のスチール製の補強部材と、
前記外側板部と前記側片部を連結固定する連結具と、
前記取付板部を挟み前記外壁に前記共締め片部を共締め固定する固定具と、
を具備することを特徴とするシャッター枠部の防火構造。
【請求項２】
請求項１記載のシャッター枠部の防火構造であって、
前記外枠には前記取付板部を挟み前記外側板部と反対側に前記取付板部と平行な段板部が形成され、
前記補強部材の前記底板部には前記段板部と平行な背片部が起立して形成され、
前記段板部及び前記背片部が連結具により連結固定されることを特徴とするシャッター枠部の防火構造。
【請求項３】
請求項１または２記載のシャッター枠部の防火構造であって、
前記底板部には水抜き穴が穿設され、
前記補強部材の下方に配置された下枠の前記底板部に相当する下面には、前記下枠の端を覆う樹脂製のキャップが取り付けられることを特徴とするシャッター枠部の防火構造。
【発明の詳細な説明】
【技術分野】
【０００１】
本発明は、シャッター枠部の防火構造に関する。
【背景技術】
【０００２】
窓用シャッターは、建物躯体に開口する窓を覆って外壁に取り付けられる。窓用シャッターでは、防錆性や意匠性等を考慮して、アルミやアルミ合金を素材とする部品や、樹脂を素材とする部品が多用されている。例えば特許文献１に開示の窓用シャッターは、窓の上方にシャッター本体が取り付けられ、そのシャッター本体の両側から窓を挟むようにして外枠が左右に取り付けられる。それぞれの外枠の内側にはガイドレールが固定される。シャッター本体からは、シャッターカーテンがガイドレールに沿って引き出される。窓用シャッターは、左右の外枠下端部が窓の下方で水平に配置される下枠によって接続される。外枠と下枠は、シャッター枠部を構成している。シャッター枠部の下枠は、シャッターカーテンの下降先端に設けられた座板を載置する。
【先行技術文献】
【特許文献】
【０００３】
【特許文献１】特開２０１４−３１６３５号公報
【発明の概要】
【発明が解決しようとする課題】
【０００４】
しかしながら、火災時に、火炎の熱で、各部が溶融、軟化、変形等し、シャッターカーテンの重みが下枠にかかってしまう。これは、シャッターが火炎を受けると、巻取り部のばねがトルクを失うことで降下方向に荷重がかかることによる。そして下枠も熱によって変形しやすくなる。そのため、シャッターカーテン全体の重みを下枠が支えきれなくなることで、脱落する虞が生じる。
【０００５】
本発明は上記状況に鑑みてなされたもので、その目的は、火炎により下枠が変形しても座板を含むシャッターカーテンの脱落を抑制し、防火性能を向上させることができるシャッター枠部の防火構造を提供することにある。
【課題を解決するための手段】
【０００６】
次に、上記の課題を解決するための手段を、実施の形態に対応する図面を参照して説明する。
本発明の請求項１記載のシャッター枠部５１の防火構造は、外壁１５に開口する開口部１３を前記外壁１５の外側で昇降して覆い、下降先端に座板３７を有するシャッターカーテン２３と、
前記シャッターカーテン２３の側部４３を挿入して昇降を案内する一対のガイドレール４５のそれぞれを支持するとともに、前記ガイドレール４５に沿って延在し、前記外壁１５に垂直な外側板部５５と該外側板部５５から前記外壁１５と平行に折れ曲がる取付板部５７とを有する一対のアルミ製の外枠２７と、
前記ガイドレール４５及び前記外枠２７の下端を塞ぎ前記座板３７の延在方向の端が接する底板部７９を有し、該底板部７９から前記外側板部５５と平行な側片部８１及び前記取付板部５７と平行な共締め片部８５が起立して形成される一対のスチール製の補強部材２９と、
前記外側板部５５と前記側片部８１を連結固定する連結具３１と、
前記取付板部５７を挟み前記外壁１５に前記共締め片部８５を共締め固定する固定具３３と、
を具備することを特徴とする。
【０００７】
このシャッター枠部の防火構造では、従来、アルミ部材同士のみの接続であった外枠２７の下端と下枠３９の端との間に、スチール製の補強部材２９が挟入される。補強部材２９は、底板部７９が、外枠２７とガイドレール４５の下端を塞ぐ。外枠２７には、外側板部５５から外壁１５と平行に折り曲げられた取付板部５７が形成される。この取付板部５７は、外側板部５５の内側となって外側板部５５と外壁１５とによって囲まれる。このため、取付板部５７は、外部からの直接的な火炎からは遮蔽される。
外枠２７の下端を塞ぐ補強部材２９の底板部７９には、取付板部５７と平行な共締め片部８５が、底板部７９から起立して形成される。従って、この共締め片部８５は、外側板部５５と取付板部５７と底板部７９とに塞がれた空間部７７に配置されて、取付板部５７を外壁１５へ共締め固定する。このように、シャッター枠部の防火構造では、シャッターカーテン２３の荷重を受ける補強部材２９の外壁１５に対する共締め片部８５が、外側板部５５と取付板部５７と底板部７９とに塞がれた空間部７７に配置されるので、外部からの直接的な火炎からは遮蔽されるようになっている。
シャッター枠部の防火構造では、座板３７を支持する補強部材２９が、外側板部５５と取付板部５７と底板部７９とに塞がれた空間部７７に配置される共締め片部８５で外壁１５に固定される。このため、補強部材２９は、シャッター枠部が火炎にさらされ、外枠２７や下枠３９が高温になり、軟化して変形しやすくなった場合であっても、外壁１５への固定が解除されにくくなる。つまり、一対の補強部材２９は、座板３７の両端を底板部７９に載置した状態で支持し続けることが可能となる。その結果、シャッター枠部の防火構造は、アルミ部材同士のみの接続であった外枠２７の下端と下枠３９の端とのシャッター枠構造に比べ、下枠３９が脱落するまでの時間を遅延させ、座板３７を支持することができる。
【０００８】
本発明の請求項２記載のシャッター枠部の防火構造は、請求項１記載のシャッター枠部の防火構造であって、
前記外枠２７には前記取付板部５７を挟み前記外側板部５５と反対側に前記取付板部５７と平行な段板部５９が形成され、
前記補強部材２９の前記底板部７９には前記段板部５９と平行な背片部８９が起立して形成され、前記段板部５９及び前記背片部８９が連結具により連結固定されることを特徴とする。
【０００９】
このシャッター枠部の防火構造では、補強部材２９が、外枠２７とともに外壁１５に共締め固定されている。この共締めは、外枠２７の取付板部５７と、補強部材２９の共締め片部８５とが、固定具３３により外壁１５に固定されることによりなされる。外枠２７には、取付板部５７を挟み外側板部５５と反対側に取付板部５７と平行な段板部５９が形成される。また、補強部材２９の底板部７９には、この段板部５９と平行な背片部８９が起立して形成される。そして、これら外枠２７の段板部５９と、補強部材２９の背片部８９とは、連結具により固定される。この段板部５９と背片部８９も、上記した外側板部５５と取付板部５７と底板部７９とに塞がれた空間部７７に配置される。従って、段板部５９と背片部８９の連結部は、上記同様に、外部からの直接的な火炎からは遮蔽される。これにより、外枠２７と補強部材２９は、上記の共締め部に加え、段板部５９と背片部８９とによりさらに強固に固定される。また、外枠２７の形状を、これら連結具３１と固定具３３との固定で、維持されることとなり、熱による外枠２７の変形を抑制する。
【００１０】
本発明の請求項３記載のシャッター枠部の防火構造は、請求項１または２記載のシャッター枠部の防火構造であって、
前記底板部７９には水抜き穴９１が穿設され、前記補強部材２９の下方に配置された下枠３９の前記底板部７９に相当する下面には、前記下枠３９の端を覆う樹脂製のキャップ９３が取り付けられることを特徴とする。
【００１１】
このシャッター枠部の防火構造では、補強部材２９の底板部７９に水抜き穴９１が穿設される。外枠２７やガイドレール４５に進入して落下した水は、水抜き穴９１から下枠３９へ流下し、下枠３９とキャップ９３との間から落下して排水される。また、外枠２７と下枠３９が接続されると、金属製部材の切断加工面である外枠２７の下端または下枠３９の端が出隅部で表出する。シャッター枠部は、この出隅部が樹脂製のキャップ９３により覆われる。
【発明の効果】
【００１２】
本発明に係る請求項１記載のシャッター枠部の防火構造によれば、火炎により下枠が変形しても、外枠の下端に設けられた補強部材が支えることになって座板の脱落を抑制し、シャッター装置としての防火性能を向上させることができる。
【００１３】
本発明に係る請求項２記載のシャッター枠部の防火構造によれば、補強部材と外枠との固定箇所が増えることで、これらを強固に固定でき、また、外枠の形状を、これら連結具と固定具との固定で、維持することとなり、熱による外枠の変形を抑制する。また、下枠に対するシャッターカーテンの荷重を補強部材が受けることになり、下枠が脱落するまでの時間をさらに遅延させることができる。
【００１４】
本発明に係る請求項３記載のシャッター枠部の防火構造によれば、腰高窓などでシャッター枠部が外壁から突出し、下側の出隅部に人が衝突した場合であっても怪我を負わせることがなく、安全性を高めることができる。
【図面の簡単な説明】
【００１５】
【図１】本発明の実施の形態に係るシャッター枠部の防火構造を備えたシャッター装置の外観を表す斜視図である。
【図２】図１に示した収納部の縦断面図である。
【図３】図２に示した外枠の下端と下枠の端との連結部分における要部拡大図である。
【図４】図３の平断面図である。
【図５】外枠と補強部材との分解斜視図である。
【図６】補強部材が固定された外枠と下枠との分解斜視図である。
【発明を実施するための形態】
【００１６】
以下、本発明に係る実施形態を図面を参照して説明する。
図１は本発明の実施の形態に係るシャッター枠部の防火構造を備えたシャッター装置１１の外観を表す斜視図である。
本実施の形態に係るシャッター枠部の防火構造は、例えば住宅の開口部１３を覆うシャッター装置１１に好適に用いることができる。住宅の外壁１５には、開口部１３が設けられる。この開口部１３には、サッシ窓１７が取り付けられる。シャッター装置１１は、サッシ窓１７の外側に取り付けられる。サッシ窓１７の取り付けられた開口部１３の上方には、シャッター装置１１の収納部１９が取り付けられる。
【００１７】
収納部１９は、巻取装置を収納している。巻取装置は、巻胴２１を有する。巻胴２１は、両端に設けられる支持軸によって回動自在に支持される。巻胴２１には、シャッターカーテン２３の繰出方向後端である吊元が固定される。巻胴２１の一端には、減速装置を介して開閉機２５（駆動モータ）が接続される。巻胴２１は、開閉機２５が駆動されると、その回転が減速され、巻取り・繰り出し方向へ回転駆動される。収納部１９には、シャッターカーテン２３を巻き取り方向に付勢するばねが設けられている。シャッターカーテン２３は、開口部１３を閉鎖した状態で吊り持ち支持される重量の一部分が、このばねにより軽減される。
【００１８】
本実施形態に係るシャッター枠部の防火構造は、シャッターカーテン２３と、アルミ製の外枠２７と、スチール製の補強部材２９と、連結具（リベット３１）と、固定具（ビス３３）と、を主要な構成として有する。
【００１９】
シャッターカーテン２３は、外壁１５に開口する開口部１３を外壁１５の外側で昇降して覆う。つまり、シャッターカーテン２３は、サッシ窓１７を外壁１５の外側から覆う。シャッターカーテン２３は、アルミ製やスチール製のスラット３５を複数連結して構成される。
【００２０】
シャッターカーテン２３は、複数のスラット３５が、隣接する長手方向に沿う両端縁同士を係合することにより、巻回可能な面状に連結構成される。シャッターカーテン２３は、繰り出し方向の先端に、座板３７（幅木とも称す。）が取り付けられる。座板３７は、シャッターカーテン２３が下降した際、下枠３９に着座する。この座板３７の近傍には、巻き上げられたシャッターカーテン２３の収納部１９への引き込みを規制するためのストッパー４１（図２参照）が設けられてもよい。
【００２１】
図２は図１に示した収納部１９の縦断面図である。
外枠２７は、シャッターカーテン２３の側部４３を挿入して昇降を案内するガイドレール４５を支持する。
【００２２】
ガイドレール４５は、シャッターカーテン２３を挟んで、開口部１３の左右に一対が設けられる。ガイドレール４５は、シャッターカーテン２３の昇降方向に延在するとともに、シャッターカーテン２３のそれぞれの側部４３（図１参照）を表裏面から挟んで案内する。
【００２３】
外枠２７は、一対のガイドレール４５のそれぞれに沿って、一対が上下に延在する。垂下した一対の外枠２７の下端は、アルミ製の下枠３９によって連結される。下枠３９は、左右一対の外枠２７同士の下端に渡って横方向に設けられる。下枠３９の前側には、起立前板４７が全長に渡って起立して形成される。下枠３９は、起立前板４７と反対側の後縁に、長手方向に延在する水切傾斜片４９が一体成形されていてもよい。
【００２４】
外枠２７、ガイドレール４５、下枠３９は、図１に示すシャッター枠部５１を構成する。
【００２５】
図３は図２に示した外枠２７の下端と下枠３９の端との連結部分における要部拡大図である。
外枠２７は、外壁１５から外側（図３の左側）へ突出して固定される。外枠２７は、この突出側でガイドレール４５を保持する。つまり、ガイドレール４５は、外壁１５から離間して保持されている。従って、ガイドレール４５と外壁１５との間には、間隙５３が形成される。下枠３９は、延在方向に直交する幅長（図３の左右長）が、外枠２７の突出長と略一致する。下枠３９は、シャッターカーテン２３と外壁１５との間に形成される上記の間隙５３の下端を塞ぐ。
【００２６】
図４は図３の平断面図である。
外枠２７は、外壁１５に垂直な外側板部５５を有する。外側板部５５は、外枠２７の全長に渡って形成される。外枠２７は、この外側板部５５から外壁１５と平行に折れ曲がる取付板部５７を有する。外枠２７は、取付板部５７を挟み外側板部５５と反対側に、取付板部５７と平行な段板部５９が形成される。取付板部５７と段板部５９との間は、外側板部５５と平行な内側板部６１により接続される。段板部５９には、内側板部６１の反対側に、内側板部６１と平行な固定座部６３が折り曲げ形成される。
【００２７】
それぞれのガイドレール４５は、シャッターカーテン２３の側部４３をスリット６５に挿入して昇降を案内する平断面視略コ字形状に形成される。より具体的には、平断面視略コ字形状のガイドレール４５は、スリット開口側から外壁１５へ向かって垂直に突出する内固定片６７と、スリット開口側と反対側の背側から外壁１５と平行に突出する外係合片６９と、により平断面視略ｈ字形状に形成される。
【００２８】
ガイドレール４５の内固定片６７は、連結ビス７１が貫通可能となる。内固定片６７には、段板部５９から曲げられた固定座部６３が連結ビス７１により固定される。また、ガイドレール４５の外係合片６９は、突出先端に係合溝７３を有する。この係合溝７３には、外枠２７の外側板部５５に形成された係合爪部７５が係合する。
【００２９】
外側板部５５は、取付板部５７の外端で直角に折り曲げられて外壁１５から垂直に突出するように形成され、平断面視で略直線形状となる。内側板部６１は、取付板部５７の内端で折り曲げられて垂直となって外壁１５から突出した後にさらに曲げられ、平断面視で略Ｚ曲げ形状に形成される。外側板部５５と内側板部６１は、取付板部５７を挟んで双方が外壁１５から垂直に突出し、双方の間に空間部７７が形成される。この空間部７７は、外側板部５５の先端（係合爪部７５）と、内側板部６１の先端（固定座部６３）とにガイドレール４５が取り付けられることにより閉塞した空間となる。
【００３０】
つまり、シャッターカーテン２３の両側の側部４３を案内する一対のガイドレール４５は、それぞれがアルミ製の外枠２７を介して外壁１５に固定される。外枠２７は、アルミ製とすることにより、シャッター用ガイドレールの意匠性や防錆性を高め、軽量化を可能としている。
【００３１】
シャッターカーテン２３は、両側の側部４３が外枠２７を介して外壁１５に支持されたガイドレール４５により案内されることにより、下降することで開口部１３を覆う。これにより、シャッターカーテン２３は、建物の開口部１３に設けられているサッシ窓１７を屋外側から覆うことができる。外枠２７は、外側板部５５が屋外側に露出する。これに対し、取付板部５７、内側板部６１、段板部５９、固定座部６３は、シャッターカーテン２３の内側となって屋外から空気層となる空間部７７を介して遮断される。
【００３２】
外枠２７とガイドレール４５とに包囲された空間部７７は、下端の開放部分がスチール製の補強部材２９により塞がれる。補強部材２９は、空間部７７の略平断面形状に形成される底板部７９により空間部７７の下端を塞ぐ。
【００３３】
図５は外枠２７と補強部材２９との分解斜視図である。
補強部材２９は、ガイドレール４５及び外枠２７の下端を塞ぐ。換言すれば、ガイドレール４５は、補強部材２９の底板部７９の上に載った状態となる。上記のように、ガイドレール４５は、シャッターカーテン２３の側部４３をスリット６５に挿入して昇降を案内する。図４に示すように、スリット６５の下端は、補強部材２９の底板部７９により塞がれる。従って、スリット６５を下降したシャッターカーテン２３の座板３７は、延在方向の両端が補強部材２９の底板部７９に着地、すなわち座板３７の両端は底板部７９に支持されることになる。
【００３４】
この補強部材２９には、外側板部５５と平行な側片部８１が底板部７９から起立して形成される。側片部８１は、外側板部５５と連結具により連結固定される。連結具としては、例えばリベット３１を好適に用いることができる。外側板部５５及び側片部８１には、リベット３１を挿通するための複数（図例ではそれぞれに２つ）のリベット孔８３が穿設される。
【００３５】
また、補強部材２９には、取付板部５７と平行な共締め片部８５が底板部７９から起立して形成される。共締め片部８５及び取付板部５７には、ビス３３を挿通するビス挿通孔８７が穿設される。共締め片部８５は、取付板部５７を挟み固定具により外壁１５に共締めされる。固定具としては、ビス３３や木ねじ等が好適に用いられる。
【００３６】
さらに、補強部材２９には、外枠２７の段板部５９と平行な背片部８９が底板部７９から起立して形成される。段板部５９と背片部８９には、リベット３１を挿通するためのリベット孔８３が穿設される。背片部８９は、外枠２７の段板部５９とリベット３１により連結固定される。
【００３７】
補強部材２９の底板部７９には、水抜き穴９１が穿設される。
【００３８】
そして、シャッター枠部の防火構造は、補強部材２９の下方に配置された下枠３９の底板部７９に相当する下面に、下枠３９の延在方向の端を覆う図３に示す樹脂製のキャップ９３が取り付けられる。
【００３９】
図６は補強部材２９が固定された外枠２７と下枠３９との分解斜視図である。
補強部材２９は、側片部８１と背片部８９とが、予め外枠２７の外側板部５５と段板部５９とにリベット３１により固定される。外枠２７は、補強部材２９が取り付けられた状態で、その下面に下枠３９が取り付けられる。下枠３９は、延在方向両側の下面に、上記のキャップ９３が取り付けられる。シャッター枠部５１は、これにより組立が完了する。
【００４０】
次に、上記した構成の作用を説明する。
本実施形態に係るシャッター枠部の防火構造では、従来、アルミ部材同士のみの接続であった外枠２７の下端と下枠３９の端との間に、スチール製の補強部材２９が挟入される。補強部材２９は、底板部７９が、外枠２７とガイドレール４５の下端を蓋状に塞ぐ。外枠２７には、外側板部５５から外壁１５と平行に折り曲げられた取付板部５７が形成される。この取付板部５７は、外側板部５５の内側となって外側板部５５と外壁１５とによって囲まれる。このため、取付板部５７は、外部からの直接的な火炎からは遮蔽される。
【００４１】
外枠２７の下端を塞ぐ補強部材２９の底板部７９には、取付板部５７と平行な共締め片部８５が、底板部７９から起立して形成される。従って、この共締め片部８５は、外側板部５５と取付板部５７と底板部７９とに塞がれた空間部７７に配置されて、取付板部５７を外壁１５へ共締め固定する。このように、シャッター枠部の防火構造では、シャッターカーテン２３の荷重を受ける補強部材２９の外壁１５に対する共締め片部８５が、外側板部５５と取付板部５７と底板部７９とに塞がれた空間部７７に配置されるので、外部からの直接的な火炎からは遮蔽されるようになっている。
【００４２】
シャッター枠部の防火構造では、火災でアルミ製の下枠３９が高温になると、軟化して変形しやすくなる。下枠３９には、シャッターカーテン２３の下降先端に設けられた座板３７が当接する。下枠３９は、シャッターカーテン２３の重量を座板３７を介して支持する。
【００４３】
従来のアルミ部材同士のみの接続であった外枠２７の下端と下枠３９の端との接続構造では、変形しやすくなった下枠３９は、耐荷重が急激に低下し、座板３７を含むシャッターカーテン２３の重量を支えきれず、座板３７とともに脱落する虞が生じた。
【００４４】
また、シャッターカーテン２３の収納部１９には、シャッターカーテン２３を巻き取り方向に付勢するばねが設けられている。シャッターカーテン２３は、閉鎖状態で吊り持ち支持される重量の一部分が、このばねにより軽減されている。ところが、ばねは、火炎にさらされると、弾性復元力が低下する。このため、下枠３９には、通常時よりも大きな荷重が加わり、より脱落しやすくなる。
【００４５】
これに対し、シャッター枠部の防火構造では、座板３７を支持する補強部材２９が、外側板部５５と取付板部５７と底板部７９とに塞がれた空間部７７に配置される共締め片部８５で外壁１５に固定される。このため、補強部材２９は、シャッター枠部５１が火炎にさらされ、外枠２７や下枠３９が高温になり、軟化して変形しやすくなった場合であっても、外壁１５への固定が解除されにくくなる。つまり、一対の補強部材２９は、座板３７の両端を底板部７９に載置した状態で支持し続けることが可能となる。その結果、シャッター枠部の防火構造は、アルミ部材同士のみの接続であった外枠２７の下端と下枠３９の端とのシャッター枠構造に比べ、下枠３９が脱落するまでの時間を遅延させることができる。
【００４６】
また、このシャッター枠部の防火構造では、補強部材２９が、外枠２７とともに外壁１５に共締め固定されている。この共締めは、外枠２７の取付板部５７と、補強部材２９の共締め片部８５とが、固定具（ビス）３３により外壁１５に固定されることによりなされる。外枠２７には、取付板部５７を挟み外側板部５５と反対側に取付板部５７と平行な段板部５９が形成される。また、補強部材２９の底板部７９には、この段板部５９と平行な背片部８９が起立して形成される。
【００４７】
そして、これら外枠２７の段板部５９と、補強部材２９の背片部８９とは、連結具（リベット）３１により固定される。この段板部５９と背片部８９も、上記した外側板部５５と取付板部５７と底板部７９とに塞がれた空間部７７に配置される。従って、段板部５９と背片部８９の連結部は、上記同様に、外部からの直接的な火炎からは遮蔽される。これにより、外枠２７と補強部材２９は、上記の共締め部に加え、段板部５９と背片部８９とによりさらに強固に固定される。その結果、下枠３９が脱落するまでの時間をさらに遅延させることができる。
【００４８】
さらに、このシャッター枠部の防火構造では、補強部材２９の底板部７９に水抜き穴９１が穿設される。外枠２７やガイドレール４５に進入して落下した水は、水抜き穴９１から下枠３９へ流下し、下枠３９とキャップ９３との間から落下して排水される。
【００４９】
また、外枠２７と下枠３９が接続されると、金属製部材の切断加工面である外枠２７の下端または下枠３９の端が出隅部で表出する。シャッター枠部５１は、この出隅部が樹脂製のキャップ９３により覆われる。その結果、腰高窓などでシャッター枠部５１が外壁１５から突出し、下側の出隅部に人が衝突した場合であっても怪我を負わせることがなく、安全性を高めることができる。
【００５０】
従って、本実施形態に係るシャッター枠部の防火構造によれば、火炎により下枠３９が変形しても座板３７を含むシャッターカーテン２３の脱落を抑制し、防火性能を向上させることができる。
【符号の説明】
【００５１】
１３…開口部
１５…外壁
２３…シャッターカーテン
２７…外枠
２９…補強部材
３１…連結具（リベット）
３３…固定具（ビス）
３７…座板
３９…下枠
４３…側部
４５…ガイドレール
５１…シャッター枠部
５５…外側板部
５７…取付板部
５９…段板部
７９…底板部
８１…側片部
８５…共締め片部
８９…背片部
９１…水抜き穴
９３…キャップ
【図１】
2020020108.tif 000003
【図２】
2020020108.tif 000004
【図３】
2020020108.tif 000005
【図４】
2020020108.tif 000006
【図５】
2020020108.tif 000007
【図６】
2020020108.tif 000008